(57)【特許請求の範囲】
【請求項１】
内扉が外扉に収納された状態で引き戸収納部内に収納され、上下方向に所定間隔を有して外扉用レール部材と内扉用レール部材が取付けられたレール支持枠が、戸尻側縦枠と戸先側縦枠間に配設され、外扉の戸先側端部と戸尻側端部に設けられた外扉戸先側吊り部と外扉戸尻側吊り部を介して、外扉用レール部材に外扉が連結され、常に外扉戸先側吊り部の前方に位置する内扉戸先側吊り部と、内扉と外扉が全開された状態で外扉戸尻側吊り部の前側に近接し、内扉と外扉が全閉された状態で外扉戸先側吊り部の後側に近接する内扉戸尻側吊り部を介して、内扉用レール部材に内扉が連結され、内扉が外扉に対して２倍の走行距離となるよう内扉と外扉間に連動機構を配設した引き戸装置において、外扉は、ほぼ左右方向全幅に渡る開口部を上端面に有して内扉用レール部材の下方に配設され、内扉戸尻側吊り部は前記開口部内を左右方向に移動可能となし、外扉戸先側吊り部と外扉戸尻側吊り部は、内扉用レール部材を上下方向に跨ぐ縦断面略コ字形の外扉戸先側吊り金具と外扉戸尻側吊り金具を有している事を特徴とする引き戸装置。
【請求項２】
外扉戸先側吊り金具と外扉戸尻側吊り金具に、外扉用レール部材の上方に位置する状態でリニアモータの可動子を連結する一方、リニアモータの可動子の上方に位置して、リニアモータ固定子をレール支持枠に連結し、駆動源にリニアモータを用いた事を特徴とする請求項１に記載の引き戸装置。
【発明の詳細な説明】
【技術分野】
【０００１】
本発明は、出入口の開放時に内扉が外扉に収納された状態で引き戸収納部内に収納される引き戸装置に関するものである。
【背景技術】
【０００２】
この種の引き戸装置としては、後扉（本発明では外扉）の前後の吊り車を引き戸上枠に取付けられたレール（以下後扉用レールと云う。）に懸架せしめると共に、該後扉の内部には前扉支持用レールを備え、前扉（本発明では内扉）の前後の対をなす吊り車の後部吊り車を前記前扉支持用レールに懸架し、前扉の前部の吊り車を引き戸上枠に設けられた前記後扉用レール上に懸架せしめ、前扉と後扉は連動杆によって、所定の速度比で移動するものがある。（例えば、特許文献１参照。）
この場合、水平状態に施工された後扉用レールに後扉を懸架した時、後扉の加工精度、後扉に対する前扉支持用レールの取付精度は完全ではないので、後扉に取付けられた前扉支持用レールは水平状態（後扉用レールと平行状態）にはならない。
特に、レールを戸先側に前下がりに取付けて引き戸装置に自閉機能を持たせるような構成にする事は、後扉用レールと前扉支持用レールが互いに傾斜状態での平行が要求されるので、事実上困難であった。
従って、前扉と後扉を全閉状態としたとき前扉の戸先側端部が鉛直姿勢で維持されず戸先側の引き戸枠部材との間に隙間が発生したり、あるいは、全開状態とした時には後扉の戸先側端部と前扉の戸先側端部が平行に納まらず、見栄えが悪いという問題があった。
【０００３】
一方、後扉の上部を上枠に取付けられたスライドレールに摺動自在に取付け、後扉の内部に設けたスライドレールに前扉の上部を摺動自在に支持したものが提供されている。（例えば、特許文献２参照）
この場合、戸車の走行によって生じる不快な走行音、あるいは戸車の劣化による耐久性の問題は解決されるが、前扉を摺動自在に支持するスライドレールが後扉に取付られているので、前扉と後扉の全閉時、後扉に取付られたスライドレールの一部が前扉と共に後扉の戸先側に突出することとなる。
このため、後扉の戸先側に突出したスライドレールの一部と後扉で前扉の荷重を支えることとなり、前扉の垂れ下がりや、前扉が前後方向に揺れる横ぶれが生じやすく不安定となる。
すなわち、静粛性、耐久性は向上するものの、新たに品質的、強度的な問題があった。
又、後扉を支持するスライドレールに対する前扉の荷重の負荷位置が、前扉の開閉位置によって変化するので、前扉と後扉の摺動力が均一とならない問題もあった。
【０００４】
この問題を解決するため、後扉の上部を上枠に取付けられたスライドレール（後扉用スライドレール）に摺動自在に取付け、後扉の内部に設けられたスライドレール（前扉用スライドレール）に前扉の後方上部を摺動自在に支持し、前扉の前方上部を後扉用スライドレールに摺動自在に取付けたものが提供されている。（例えば、特許文献３参照）
しかしながら、水平状態に施工された後扉用スライドレールに後扉を取付けた時、後扉の加工精度、後扉に対する前扉用スライドレールの取付精度を完全には出来ないので、後扉に取付けられた前扉用スライドレールは、水平状態（後扉用スライドレールと平行状態）にはならない。
特に、スライドレールを戸先側に前下がりに取付けて引き戸装置に自閉機能を持たせるような構成にする事は、後扉用レールと前扉支持用レールが互いに傾斜状態での平行が要求されるので事実上困難であった。
一方、スライドレールは摺動性能の向上を図るため、特に上下方向での寸法精度が高く（上下方向のがたつきがない。）なるよう構成されているので、後扉用スライドレールと前扉用スライドレールの平行度が完全でないと前扉と後扉が互いに干渉しあって開閉移動が行えないという致命的な問題があった。
【０００５】
さらに、上記問題を解決するため、内扉が外扉に収納された状態で引き戸収納部内に収納される引き戸装置において、戸尻側縦枠と戸先側縦枠間に配設されたレール支持枠に外扉が外扉用スライドレールを介して左右方向に移動可能に取付けられるとともに、レール支持枠の所定寸法下方で、外扉内の上部を貫挿して戸尻側縦枠と戸先側縦枠間に高さ調節可能配設された内扉支持枠に、内扉が内扉用スライドレールを介して左右方向に移動可能に取付けられ、レール支持枠と、内扉支持枠と、内扉と外扉の上部は、着脱自在の点検パネルと引き戸収納部で隠蔽されたものも提供されている。（例えば、特許文献４参照）
この場合、レール支持枠と内扉支持枠の２本の支持枠が必要な為コストアップとなるだけでなく、内扉支持枠は外扉内の上部を貫挿して戸尻側縦枠と戸先側縦枠間に取付けられるため、据付作業に時間を要するという問題があった。
【０００６】
【特許文献１】特許第３４４７５９６号公報
【特許文献２】特許第３４６１７７０号公報（第１−６図）
【特許文献３】特許第３４６１７７０号公報（第７−９図）
【特許文献４】特開２００５−２１３８３８号公報
【発明の開示】
【発明が解決しようとする課題】
【０００７】
本発明は、静粛性、耐久性に優れ、品質的、強度的な問題もなく、コストダウンにつながり、後扉用スライドレール（外扉用レール部材）と前扉用スライドレール（内扉用レール部材）の厳密な平行度も必要でなく、特に施工性に優れた引き戸装置を提供することを課題とする。
【課題を解決するための手段】
【０００８】
そこで、上記課題を解決する為、本発明が第１の手段として構成したところは、内扉が外扉に収納された状態で引き戸収納部内に収納され、上下方向に所定間隔を有して外扉用レール部材と内扉用レール部材が取付けられたレール支持枠が、戸尻側縦枠と戸先側縦枠間に配設され、外扉の戸先側端部と戸尻側端部に設けられた外扉戸先側吊り部と外扉戸尻側吊り部を介して、外扉用レール部材に外扉が吊下げられ、開閉途中、常に外扉戸先側吊り部の前方に位置する内扉戸先側吊り部と、内扉と外扉が全開された状態で外扉戸尻側吊り部の前側に近接し、内扉と外扉が全閉された状態で外扉戸先側吊り部の後側に近接する内扉戸尻側吊り部を介して、内扉用レール部材に内扉が吊下げられ、内扉が外扉に対して２倍の走行距離となるよう内扉と外扉間に連動機構を配設した引き戸装置において、外扉は、ほぼ左右方向全幅に渡る開口部を上端面に有して内扉用レール部材の下方に配設され、内扉戸尻側吊り部は前記開口部内を左右方向に移動可能となし、外扉戸先側吊り部と外扉戸尻側吊り部は、内扉用レール部材を上下方向に跨ぐ縦断面略コ字形の外扉戸先側吊り金具と外扉戸尻側吊り金具を有しているものである。
【０００９】
次に、本発明が第２の手段として構成したところは、第１の手段としての構成に付加して、外扉戸先側吊り金具と外扉戸尻側吊り金具に、外扉用レール部材の上方に位置する状態でリニアモータの可動子を連結する一方、リニアモータの可動子の上方に位置して、リニアモータの固定子をレール支持枠に連結し、駆動源にリニアモータを用いたものである。
【発明の効果】
【００１１】
請求項１に記載の発明によると、外扉用レール部材と内扉用レール部材が１本のレール支持枠に取付けられているので、部材点数が削減できコストダウンが図れる。
レール支持枠には、外扉戸先側吊り部と外扉戸尻側吊り部、内扉戸先側吊り部と内扉戸尻側吊り部を介して、外扉と内扉が吊下げられる。すなわち、レール支持枠は外扉と内扉の上方に位置して戸尻側縦枠と戸先側縦枠間に配設されるから、外扉、内扉とは関係なく取付け作業等ができる。
又、外扉用レール部材と内扉用レール部材に、それぞれ個別に外扉と内扉と吊下げられるので、互いに影響しあう事がなく、外扉用レール部材と内扉用レール部材に厳密な平行度は要求されないので、施工時間のスピードアップが図れる。
又、内扉戸先側吊り部は、内扉と外扉の開閉途中、常に外扉戸先側吊り部の前方に位置し、内扉戸尻側吊り部は、内扉と外扉が全開された状態で外扉戸尻側吊り部の前側に近接し、内扉と外扉が全閉された状態で外扉戸先側吊り部の後側に近接するので、内扉と外扉の開閉途中で、内扉戸先側吊り部と内扉戸尻側吊り部が外扉戸尻側吊り部あるいは外扉戸先側側吊り部と干渉しあう事がなく、スムーズな開閉動作を得る事が出きる。
又、内扉戸尻側吊り部は外扉の上面に形成された開口部内を左右方向に移動可能となし、外扉戸先側吊り部と外扉戸尻側吊り部は、内扉用レール部材を上下方向に跨ぐ縦断面略コ字形の内扉戸先側吊り金具と内扉戸先側吊り金具を有しているから、外扉用レール部材と内扉用レール部材は同一鉛直線状に配設できるので、内扉と外扉の厚み寸法を小さく出来、扉の軽量化が図れる。
【００１２】
請求項２に記載の発明によると、リニアモータの可動子は、外扉戸先側吊り部と外扉戸尻側吊り部に連結され、リニアモータの可動子はレール支持枠に連結されているので
リニアモータを取付けるための部材が新たに必要としないので、コストアップを最小限に抑えることが出来る。
【発明を実施するための最良の形態】
【００１４】
本発明は、内扉が外扉に収納された状態で引き戸収納部内に収納される引き戸装置において、上下方向に所定間隔を有して外扉用レール部材と内扉用レール部材が取付けられたレール支持枠が、戸尻側縦枠と戸先側縦枠間に配設され、外扉の戸先側端部と戸尻側端部に設けられた外扉戸先側吊り部と外扉戸尻側吊り部を介して、外扉用レール部材に外扉が吊下げられ、開閉途中、常に外扉戸先側吊り部の前方に位置する内扉戸先側吊り部と、内扉と外扉が全開された状態で外扉戸尻側吊り部の前側に近接し、内扉と外扉が全閉された状態で外扉戸先側吊り部の後側に近接する内扉戸尻側吊り部を介して、内扉用レール部材に内扉が吊下げられ、内扉が外扉に対して２倍の走行距離となるよう内扉と外扉間に連動機構を配設し、外扉は、ほぼ左右方向全幅に渡る開口部を上端面に有して内扉用レール部材の下方に配設され、内扉戸尻側吊り部は前記開口部内を左右方向に移動可能となし、外扉戸先側吊り部と外扉戸尻側吊り部は、内扉用レール部材を上下方向に跨ぐ縦断面略コ字型に形成されているものである。
【実施例１】
【００１５】
以下、添付図面の図１〜図１２に基づいて第１実施例を詳述する。
図１〜図１２において、符号１は引き戸枠を示している。
引き戸枠１は、建物側の鉄骨１０１・・・にブラケット１０２・・・を介して所定間隔を有して固定された戸尻側縦枠１１と戸先側縦枠１２と、戸尻側縦枠１１と戸先側縦枠１２の上端間に配設され、建物側鉄骨にブラケットを介して固定された上枠１３より門形に形成されている。
【００１６】
符号１４はレール支持枠を示している。レール支持枠１４は、戸尻側縦枠１１と戸先側縦枠１２の内面に設けられた連結座（図示せず。）と固定ボルト（図示せず。）で、高さ調節可能に連結され、戸尻側縦枠１１と戸先側縦枠１２の上部間に配設され、外扉用レール部材２と内扉用レール部材３が上下方向に所定間隔を有して連結ネジで連結されている。
そして、外扉用レール部材２には、外扉５が吊下げられ、内扉レール部材３には内扉６が吊下げられている。
【００１７】
外扉用レール部材２に吊下げられた外扉５の下部は、後記する中枠４、４間の床面に設けられた外扉用ガイドローラー取付部材１８に回転自在に設けられた外扉用ガイドローラー１８０に嵌合して前後方向への振れ止めがなされている。
一方、内扉用レール部材３に吊下げられた内扉６の下部は、外扉５の下端部で戸先側端部に設けられ、出入口側に突出する内扉用ガイドローラー取付部材１９に回転自在に設けられた内扉用ガイドローラー１９０に嵌合して前後方向への振れ止めがなされている。
そして、連動機構９によって、内扉６の移動距離は、外扉５の移動距離の２倍に設定され、第１図の全閉状態から、開放するにつれて、内扉６は外扉５内に収納されつつ、外扉５は引き戸収納部４０内に移動し、第２図の全開状態で、外扉５は内扉６を内部に収納した状態で引き戸収納部４０内に収納される。
【００１８】
中枠４、４は、戸尻側縦枠１１と戸先側縦枠１２間で、上端が上枠１３の室内外側の両面に固定され、下端部が床面に埋め込まれて前後方向に所定間隔を有して配設されている。
以下、戸尻側縦枠１１と中枠４、４間側を引き戸収納側、戸先側縦枠１２と中枠４、４間側を出入口側と云う。
そして、引き戸収納側には内装仕上げのための化粧パネル１００・・・を貼り付けための下地パネル（図示せず。）を取付けるための横スタッド４０１・・・が、上下方向に所定間隔を有して室内側と室外側に取付けられ、内部を引き戸収納用の空間とした引き戸収納部４０が構成される。
【００１９】
符号７は、レール支持枠１４と、内扉６と、外扉５の上部と、連動機構９を隠蔽して美観の向上を図ると共に、メンテナンスのため、室内側の出入口側上部に着脱自在に取付られた点検パネルを示している。
符号８は（図６に示す。）、レール支持枠１４と、内扉６と外扉５の上部と、連動機構９を隠蔽するとともに、内装仕上げのための化粧パネル１００を貼り付けるため室外側の出入口側上部に取付られたランマ下地パネルを示している。
【００２０】
すなわち、上記引き戸枠１、外扉用レール部材２と内扉用レール部材３が取付けられたレール支持枠１４、中枠４、４、中枠４、４と戸尻側縦枠１１間に配設される下地パネル（図示せず。）・・・、ランマ下地パネル８、外扉用ガイドローラー１８０が取付けられた外扉用ガイドローラー取付部材１８、点検パネル７を所定の位置に取付けた後、化粧パネル１００・・・の貼りつけ等の建物内の内装工事が行われる。
そして、内装仕上げが終了した後、点検パネル７を取り外して、外扉５、内扉６、連動機構９、自閉機構（図示せず）等が組み込まれ、開閉調整と床面及び戸先側縦枠１２との隙間調節等、各部の微調整が行われ、最後に点検パネル７が再び取付けられ、本発明引き戸装置が完成する。
【００２１】
以下、各部材について詳述する。
戸尻側縦枠１１は、図５に示す如く、引き戸収納部４０側の側片１１１と室内側の側片１１２と室外側の側片１１３より横断面略コ字形に形成され、建物用鉄骨側の上下方向に所定間隔を有して固着された固定用部材１１４・・・が、建物用鉄骨１０１の引き戸収納部４０側に突出して固着されたブラケット１０２に溶接され、下端部は床面仕上げ時に床面に埋め込まれて立設されている。
そして、側片１１１の引き戸収納部４０側に外扉５が完全に開放された時、外扉５の戸尻側端面が当接する緩衝部材１０３が取付けられている。
【００２２】
戸先側縦枠１２は、図５に示す如く、出入口側の側片１２１と、室内側の側片１２２と室外側の側片１２３より横断面略コ字形に形成され、建物側鉄骨１０１側の上下方向に所定間隔を有して固着された固定用部材１２４・・・が、建物用鉄骨１０１の出入口側面に突出して固着されたブラケット１０２に溶接され、下端部は床面仕上げ時に床面に埋め込まれて立設されている。
【００２３】
上枠１３は図３、図４、図６に示す如く、開閉方向両端部が適宜手段にて（実施例の場合は、戸尻側縦枠１１、戸先側縦枠１２の上端部に水平に溶接固着されている。）戸尻側縦枠１１と戸先側縦枠１２の上端部に配設され、建物用鉄骨（図示せず。上枠１３の上方に位置する。）側で、内扉６、外扉５の開閉方向に所定間隔を有して固定部材１３１・・・が固着された断面上向き略コ字形をなし、該固定部材１３１・・・が建物用鉄骨（図示せず。）の下面の下方に突出して固着されたブラケット（図示せず。）に溶接固定されている。
【００２４】
レール支持枠１４は、図６、図７に示す如く、固定枠１４１と、該固定枠１４１の内部で室内側内部に設けられた扉用レール取付枠１４２と、固定枠１４１の戸先側縦枠１２及び戸尻側縦枠１１側の両端面に溶接された固定座（図示せず。）より構成されており、扉用レール取付枠１４２の室内側が開口し、内部に外扉用レール部材２が、下面に内扉用レール部材３が取付けられている。
上記のごとく構成されたレール支持枠１４は、自閉装置を有する時は、固定座と戸先側縦枠１２及び戸尻側縦枠１１の連結座が固定ボルトで連結され、固定用ボルトの螺合状態が調節されることによりに、レール支持枠１４の水平状態が確認された後、固定ボルトの螺合状態が固定され、レール支持枠１４が戸先側縦枠１２と戸尻側縦枠１１間に水平状態に連結固定される。
一方、レール支持枠１４の戸先側端部（外扉用レール部材２、及び内扉用レール部材３の戸先側端部）が前下がりになるようレール支持枠１４を戸先側縦枠１２と戸尻側縦枠１１間に連結して、外扉５、内扉６に自閉機能を持たせる時は、レール支持枠１４が所望の傾斜状態となるよう固定用ボルトの螺合状態を適宜調節する。
【００２５】
レール支持枠１４に連結ネジにて取付られている外扉用レール部材２と内扉用レール部材３は、図７に示す如く同じ構成であるので、内扉用レール部材３についてのみ図８に基づいて説明する。
内扉レール部材３は、アウターメンバー３１と、アウターメンバー３１にボールリテーナ３２に回転自在に保持された複数個のボール３３・・・・を介してスライド自在に保持されたインナーメンバー３４より構成され、レール支持枠材１４の扉用レール取付枠１４２の内扉レール部材取付部１４３の下面にネジ止めにて着脱自在に取付られている。
【００２６】
アウターメンバー３１は、帯状の金属板をプレスで成形し、平らな取付板部３１１の両側縁を互いに向き合う内向きに湾曲させてボールガイド部３１２，３１２を形成し、取付板部３１１に固定用ねじ３１０の貫通孔を設けている。
インナーメンバー３４は、アウターメンバー３１の長さに所定の開閉ストロークの距離を差し引いた長さサイズの帯状金属板を用いてプレスで成形し、中央で断面略コ字形状に屈曲させた取付部３４１の両側縁を互いに離れる外向きに湾曲させて、ボールガイド部３４２、３４２を形成してなる。
【００２７】
ボールリテーナ３２は、アウターメンバー３１とインナーメンバー３４のボールガイド部３１２、３１２、３４２、３４２間に突出し、内扉６、外扉５の開閉方向に所定間隔を有して複数個のボール３３・・・を回転自在に保持するボール保持部３２１、３２１、と、インナーメンバー３４のボールガイド部３１２、３１２とアウターメンバー３１の取付板部３１１間に位置する基板３２２より断面下向き略コ字形に形成されている。
【００２８】
したがって、内扉６の開閉移動の距離（インナーメンバー３４の移動距離）に対し、ボールリテーナ３２は２分の１の移動距離となるので、アウターメンバー３１は、戸先側縦枠１２と戸尻側縦枠１１間に渡る長さに形成され、インナーメンバー３４は内扉６の幅寸法よりやや長めに形成され、ボールリテーナ３２は、内扉６の幅寸法に内扉６移動距離の２分の１の寸法を加えた長さよりやや長めに形成されている。
前述したように外扉５の外扉用レール部材２と内扉用レール部材３は同様の構成となっているので、外扉用レール部材２のアウターメンバー２１は、戸先側縦枠１２と戸尻側縦枠１１間に渡る長さに形成され、インナーメンバー２４は外扉５の幅寸法よりやや長めに形成され、ボールリテーナ２２は、外扉５の幅寸法に外扉５の移動距離の２分の１の寸法を加えた長さよりやや長めに形成されている。
そして、外扉用レール部材２と内扉用レール部材３のインナーメンバー２４、３４の開閉方向両端部下面にはそれぞれ外扉戸先側ボルト保持体６５、外扉戸尻側ボルト保持体６６、内扉戸先側ボルト保持体６７、内扉戸尻側ボルト保持体６８がネジ止め連結されている。
各吊りボルト保持体は同一であるので、外扉戸先側ボルト保持体６５についてのみ説明する。
【００２９】
外扉戸先側吊りボルト保持体６５は、図９に示す如く室内側が開口するＵ字形の螺軸挿通孔６５１を中央部に有する吊りボルト支持面６５２と、ボルト支持面６５２の移動方向側端部を上方に外向きＬ形に屈曲させて形成された連結用突片６５３、６５３と、ボルト支持面６５２の移動方向側端部で室内側の上方に屈曲させて形成された連結面６５４、６５４と、ボルト支持面６５２の室外側端部を上方に屈曲させて形成された補強用突片６５５より構成されたボルト支持体６５６と、移動方向側端部が連結面６５４、６５４と連結される抜け出し防止片６５７と、抜け出し防止片６５７の上端から室外側に突出する浮き上がり防止片６５８より構成される横向きＬ形のボルト移動防止体６５９より構成され、連結用突片６５３、６５３、連結面６５４、６５４、及び抜け出し防止片６５７の移動方向側端部にはそれぞれ連結孔６５０・・・、６６０・・・、６７０・・・が形成されている。
【００３０】
中枠４、４は、図５に示す如く、対向した同形に形成されているので室内側についてのみ説明する。
中枠４は、出入口側の端部に形成されて室内側に突出し、引き戸収納部４０の化粧パネル１００の出入口側端部を隠蔽する中枠突部４１と、中枠突部４１の引き戸収納部４０側に位置し、表面に化粧パネル１００が貼り付けられる表面部４２と、表面板４２と所定間隔を有し、戸尻側縦枠１１側の端部に、表面部４２と共に横スタッド４０１・・・の連結用突片が形成された裏面部４３より形成され、上端部が上枠１３の室内側面に連結され、下端部が床面仕上げ時に床面に埋め込まれて立設される。
そして、室内側と室外側の中枠４、４の裏面部４３、４３の出入口側内面には軟質合成樹脂材より形成された指詰め防止材（図示せず。）が取付けられている。
【００３１】
外扉５は、図３〜図７に示す如く、内部に内扉６が収納可能な空間が形成されるよう所定間隔を隔てて前後方向に対向して配設された室内外側パネル板５１、５２と、室内外側パネル板５１、５２の下端部を連結する外扉底板５４と、室内外側パネル板５１、５２の開閉方向の両端部上端を連結し、外扉用レール部材２に取付けられる時に、内扉６の上方に位置する外扉戸先側吊り部５５、外扉戸尻側吊り部５５０と、室内側パネル板５１と室外側パネル板５２の戸尻側端部を閉塞する外扉後板５６より構成されている。
すなわち、外扉５は、外扉戸先側吊り部５５、外扉戸尻側吊り部５５０で左右方向全幅に渡り（開閉方向全幅に渡り）、内扉６が収納可能な空間に連続する開口部を、上端面に有している。
【００３２】
外扉底板５４は、室内側パネル板５１と室外側パネル板５２間の中央部が上方に突出し、下面が外扉５の巾方向全幅に渡って開口し、下方から前記外扉用ガイドローラー１８０が嵌合する外扉ガイドローラー嵌合溝５３を有している。
一方、外扉ガイドローラー嵌合溝５３に嵌合する外扉用ガイドローラー１８０は、図５、図６、図１２に示す如く、中枠４、４の出入口側端部中央部で床面に固定される外扉ガイドローラー取付部材１８の上面に回転自在に取付けられ、外扉ガイドローラー嵌合溝５３の前後巾に対応する直径に形成されている。
そして、外扉ガイドローラー取付部材１８には、外扉用ガイドローラーの出入口側で、外扉５の全閉鎖時、外扉底板５４の戸先側端部に形成された後記する内扉用ガイドローラー取付部材１９の戸尻側面１９１が当接して内扉６の移動を停止させるゴム材等からなる外扉当り１８１が取付けられる外扉当り取付部１８２が形成されている。
【００３３】
内扉用ガイドローラー取付部材１９は、外扉底板５４の戸先側端面で、外扉ガイドローラー嵌合溝５３の戸先側端面を閉塞するよう固着され、外扉５の全閉時前記外扉当り１８１に当接する戸尻側面１９１と、戸尻側面１９１の上端で、外扉ガイドローラー嵌合溝５３の上端部で戸先側縦枠１２方向に突出し、上面に内扉用ガイドローラー１９０が回転自在に取付られるローラー取付面１９２と、ローラー取付面１９２の戸先側縦枠１２側端部で下方に突出し、内扉６の全閉時、内扉６の戸先側端面（後記する嵌合溝閉塞部）が当接するゴム材等からなる内扉当り１９３が取付けられる内扉当り取付部１９４より構成されている。
【００３４】
外扉戸先側吊り部５５と外扉戸尻側吊り部５５０は対向した同一の構成となっているので、外扉戸先側吊り部５５についてのみ説明する。
外扉戸先側吊り部５５は、図６、図７に示す如く、下端部が室内側パネル板５１の上端部とネジ止め連結される横向きＬ形の室内側連結金具５５１と、室外側端部に下方に突出し外側パネル板５２と連結される室外側連結部５５２を有し、室外側連結部５５２に連続して内扉用レール部材３を上下方向に跨ぎ、下面に室内側連結金具５５１の上端面が連結される金具連結部５５３を有し、螺孔が形成された吊下げ支持部５５４を上面に有する縦断面略コ字形の吊り金具５５５と、吊下げ支持部５５４に螺合する外扉戸先側吊下げボルト５５６より構成されている。
すなわち、外扉戸尻側吊り部５５０は、外扉戸先側吊り部５５と同じ室内側連結金具５５１と吊り金具５５５、外扉戸尻側吊下げボルト５５６より構成されている。
【００３５】
外扉戸先側吊下げボルト５５６は、頭部５５７と螺軸部５５８よりなり、吊り金具５５５に螺合した状態（外扉５と連結された状態）で、外扉戸先側ボルト保持体６５と外扉戸尻側ボルト保持体６６の螺軸挿通孔６５１、６５１に室内側より螺軸部５５８、５５８を挿通し、頭部５５７、５５７の下面をボルト支持面６５２、６５２に支持させ外扉５を吊下げる。次に、頭部５５７、５５７にスパナ等を嵌合し、必要に応じて頭部５５７、５５７を回動して外扉５を所定の高さに位置させた後、ボルト移動防止体６５９、６５９の連結孔６７０・・と外扉戸先側ボルト保持体６５、外扉戸尻側ボルト保持体６６の連結孔６６０を介して、外扉戸先側ボルト保持体６５、外扉戸尻側ボルト保持体６６の室内側にボルト移動防止体６５９、６５９を連結ネジにて連結する。
【００３６】
この状態で、ボルト移動防止体６５９、６５９の浮き上がり防止片６５８は、外扉戸先側吊下げボルト５５６、外扉戸尻側吊下げボルト５５６の頭部５５７、５５７の上端面に接触することにより、外扉５は上方に浮き上がることがなく、又、ボルト移動防止体６５９、６５９によって、外扉戸先側ボルト保持体６５、外扉戸尻側ボルト保持体６６より外れる事はない。
【００３７】
内扉６は、図５、図６、図７、図８に示す如く全体がパネル形状をなし、下端面の開閉方向に内扉用ガイドローラー１９０が嵌合し、戸先側端面が嵌合溝閉塞部（図示せず。）によって閉塞され、戸尻側端部が開口する内扉用ガイドローラー嵌合溝６１が形成され、内扉用レール部材３に連結された内扉戸先側ボルト保持体６７、内扉戸尻側ボルト保持体６８に対応して内扉６の開閉方向の上端面に所定間隔を有して内扉戸先側吊り部６９、内扉戸尻側吊り部６９０が設けられている。符号６００は開閉用の取手を示している。
そして実施例では、内扉戸先側吊り部６９、内扉戸尻側吊り部６９０は、前記外扉戸先側吊下げボルト５５６より短目の内扉戸先側吊下げボルト６９１、内扉戸尻側吊下げボルト６９１にて構成され、外扉５と同様の手順で内扉用レール部材３に開閉自在に吊下げられる。
すなわち、内扉６と外扉５が完全に引き戸収納部４０内に収納された状態（全開状態）で、外扉戸先側吊り部５５の前側に内扉戸先側吊り部６９が近接し、外扉戸尻側吊り部５５０の前側に内扉戸尻側吊り部６９０が近接するとともに、内扉６と外扉５が全閉された状態で、外扉戸先側吊り部５５の後側に内扉戸尻側吊り部６９０が近接するものである。
【００３８】
連動機構９は、図８、図１０、図１１に示す如く、外扉５の戸先側端部に取付けられた戸先側プーリー９１と、外扉５の戸尻側端部に取付けられた戸尻側プーリー９２と、内扉６の戸尻側端部上面にとりつけられたワイヤー移動側連結座９３と、中枠４の内側に位置してレール支持枠１４に取付けられたワイヤー固定座９４と、ワイヤー９０より構成されている。
戸先側プーリー９１と戸尻側プーリー９２は、前記外扉戸先側吊り部５５と外扉戸尻側吊り部５５０の吊り金具５５５、５５５に形成された金具連結部５５３、５５３の上面に回転自在に取付けられ、移動側ワイヤー連結座９３は、内扉戸尻側吊下げボルト６９１
が螺合する内扉６の戸尻側端部で上方に突出して、戸尻側端部上面にネジ止め連結されている。ワイヤー固定座９４はレール支持枠１４の固定枠１４１の下端部から下方に突出して固定枠の下端部にネジ止め連結されることにより、戸先側プーリー９１と、戸尻側プーリー９２と、ワイヤー固定座９４と、ワイヤー移動側連結座９３はほぼ同じ高さに位置する事となる。
そして、ワイヤー９０は戸先側プーリー９１と戸尻側プーリー９２間に掛け渡され、室内側の一部がワイヤー移動側連結座９３に連結され、室外側の一部がワイヤー固定座９４に連結される。
【００３９】
この状態で、内扉６の戸先側端部（戸先側端部に取付けられた戸当り部材）は戸先側縦枠１２の出入口側端面（戸先側縦枠１２の出入口側端面に取付けられた戸当り受け部材）に当接し、戸尻側の一部は外扉５の戸先側側内部に収納され、外扉５の戸尻側の一部は引き戸収納部４０に収納された状態で出入口を閉鎖している（図１、図３、図５、図１０、図１１に示す状態）。
【００４０】
そして、内扉６を開放していくと、ワイヤー９０の室外側はレール支持枠１４のワイヤー固定座９４に固定され、ワイヤー９０の室内側は外扉５の戸先側プーリー９１に掛け渡されて内扉６のワイヤー移動側連結座９３に固定されているので、内扉６の移動速度の半分の移動速度で外扉５も連動して移動し、内扉６は外扉５に収納された状態で、外扉５と共に引き戸収納部４０内に収納される。（図２、図４に示す状態。）
この状態で、戸尻側縦枠１１の緩衝部材１０３と外扉５の外扉後板５６は当接し、外扉用ガイドローラー取付部材１８の外扉当り１８１と内扉用ガイドローラー取付部材１９の戸尻側面が当接し、内扉当り１９３と内扉６の嵌合溝閉塞部が当接した状態となる。
【００４１】
次に、内扉６を閉鎖していくとワイヤー９０の室外側は、中枠４側内でレール支持枠１４に設けられたワイヤー固定座９４に固定され、ワイヤー９０の室内側は、外扉５の戸尻側プーリー９２に掛け渡されて、内扉６の戸尻側でワイヤー移動側連結座９３に固定されているので、内扉６の移動速度の２分の１の移動速度で外扉５も連動して移動し、内扉６は外扉５から突出した状態で、外扉５は引き戸収納部４０から突出した状態で出入口は閉鎖される。（図１、図３、図５に示す状態。）
尚、外扉５の戸先側上端部に自閉用ワイヤーの一端を固定し、レール支持枠１４の戸先側縦枠１２側の端部にワイヤーを巻き取るゼンマイ式の自閉機構を配設しておけば、外扉５の自閉と共に内扉６も自閉する。
又、内扉の上端部に、エアーダンパー（図示せず。）を取付け、レール支持枠１４の戸先側端部にはエアーダンパーに対応してダンパー当り（図示せず。）を取付け、内扉６と外扉５が勢いよく閉鎖しないようブレーキ装置を構成しる事も適宜可能である。
【００４２】
点検パネル７は、室内側の出入口の上方全幅に渡って着脱自在に取付られる横長パネル状をなし、上枠１３の室内側面部で、出入口側の開閉方向両端部に設けられた点検パネル上部支持部材７１に、下方から嵌合する上部支持突片７２が上端部に形成され嵌合し、点検パネル７の戸先側縦枠１２側と中枠４側の端部は、戸先側縦枠１２と中枠４の上部内面に出入口側の突出し、螺孔を有する点検パネル取付用突片（図示せず。）に室内側から取付けネジ７０、７０にて着脱自在に取付けられている。
【００４３】
ランマ下地パネル８は、室外側表面板８１の上端がレール支持枠１４の室外側側面部にネジ止めされ、室外側表面板８１の下端部で室外側に突出して形成されたランマ下地突部８２で、化粧ボード１００の下端部端面を隠蔽し、室外側表面板８１の開閉方向の両端部が、室外側の中枠４の出入口側面の上端部と、戸先側縦枠１２の出入口側面で室外側の上端部にネジ止めされている。
【００４４】
次に第２実施例を図１３に基づいて説明する。
尚、第２実施例の引戸枠、外扉用レール部材３、内扉用レール部材２、中枠、内扉６、外扉５、連動機構９、外扉用ガイドローラー取付部材、内扉用ガイドローラー取付部材、内扉戸先側吊り部、内扉戸尻側吊り部、外扉戸先側吊り部５５、外扉戸尻側吊り部、引き戸収納部等は第１実施例と同じ構成であり、点検パネル７、ランマ下地パネル８は、基本的に第１実施例より、上下方向に長寸となっているだけであるから説明は省略する。
【００４５】
第２実施例のレール支持枠１４は、内部にリニアモータ７４を設けるため  第１実施例のレール支持枠１４より上下方向に長寸に形成された固定枠１４１と、該固定枠１４１の内部で室内側内部に設けられた扉用レール取付枠１４２等より構成され、扉用レール取付枠１４２の下方側に上下に所定間隔を有して、下面に外扉用レール部材２、内扉用レール部材３が連結連結される外扉レール部材取付桟１４５と、内扉レール部材取付桟１４６が設けられている。
【００４６】
リニアモータ７４は、コイル可動形のリニアモータであって、コントローラーによって後記する種々の機能を有している。
リニアモータ７４の固定子７４１は、コイルユニットとセンサーユニットから構成され、外扉レール用部材２の上方に位置して、固定子取付金具７４２を介して、レール支持枠１４に取付けられている。
固定子取付金具７４２は固定子取付部７４３と、連結部７４４より逆Ｌ字形に形成され、扉用レール取付枠１４２に形成された連結螺孔（図示せず。）に対応して、連結部７４４に上下方向の長孔（図示せず。）が形成され、固定子７４１の取付け高さを調節可能としている。
コイルユニットは同一形状の３個の扁平コイルを並べて、インサートモード樹脂加工により一体成形したもので、その樹脂外郭の開閉方向の両端にそれぞれ連結突部と雌雄の関係となる連結凹部が形成されている。
【００４７】
センサーユニットは、ホール素子等を用いた３個の磁気検出センサーとそれらの磁気検出信号を送信する信号線回路および３個の扁平コイルに給電する給電回路と、それらの各回路と電気的接続を確保するためのソケットをインサートモード樹脂加工により一体成形したもので、その樹脂外郭の開閉方向の一端に前記コイルユニットに嵌める連結突部が形成されている。
【００４８】
固定子７４１に対応する可動子７５１は、外扉戸先側吊り部５５、外扉戸尻側吊り部５５０の吊り金具５５５、５５５に連結される可動子取付金具７５２、７５２の上端に跨って取付けられている。
可動子取付金具７５２は、可動子７５１の下面との間にスペーサを介在せしめることにより、前記固定子取付金具７４２の長孔と連係して、可動子７４１と固定子７５１間を所定の寸法に設定する。
可動子７５１は、永久磁石７５３と、下面に可動子取付金具７５２と連結する連結ボルトのボルト貫挿溝７５４を有するホルダー７５５より構成され、ほぼ外扉５の開閉方向全幅にわたって設けられている。
【００４９】
コントローラー（レール支持枠１４の戸先側縦枠１２側端部の点検パネル７側に取付けられている。）は、固定子７４１の各磁気検出センサーが検出する磁気検出信号を入力し、この検出信号に基づいてコイルユニットと可動子との相対位置を検出し、各扁平コイルへ給電すると共に、給電する電流方向を前記各磁気検出が検出する可動子の磁性に応じて切替えて、可動子７５１の走行方向を切替て外扉５を開閉する。
すなわち、コントローラーに内蔵した各種のＩＣ基板とセンサーユニットによって、各種機能を有する事となる。
例えば、内扉６あるいは外扉５の閉鎖途中で障害物に当たったとき、直ちに反転して、全開位置まで移動し、所定の時間が経過すると閉鎖運動を始め、反転した位置で一旦停止し、障害物が無いことを確認してから全閉する機能、あるいは、全閉位置から手動で所定寸法まで開くと、あとは、自動で全開位置まで開く機能、又、通過するものの大きさにあわせて、開放巾を選択する機能、さらに、本発明のようなレール部材を使用した場合は、所定の開閉回数に達すると、ドアを一度全開位置まで開放させる機能、等を有することが可能である。符号１４はレール支持枠を示している。
【図面の簡単な説明】
【００５０】
【図１】本発明の引き戸装置を全閉した状態の正面図
【図２】本発明の引き戸装置を全開した状態の正面図
【図３】点検パネルと化粧パネルを取り除いて引き戸装置を全閉した状態の正面図
【図４】点検パネルと化粧パネルを取り除いて引き戸装置を全開した状態の正面図
【図５】本発明の要部横断面
【図６】本発明の要部縦断面図
【図７】レール支持枠部分の要部拡大縦断面図
【図８】内扉用レール部材部分の要部拡大縦断面図
【図９】外扉戸先側ボルト保持体の分解斜視図
【図１０】連動機構の関係を示す平面図
【図１１】連動機構の関係を示す正面図
【図１２】内扉用ガイドローラーと外扉用ガイドローラーの関係を示す一部切り欠き断面図
【図１３】第２実施例の要部縦断面図
【符号の説明】
【００５１】
１            引き戸枠
１１          戸尻側縦枠
１２          戸先側縦枠
１３          上枠
１４          レール支持枠
１００        化粧パネル
２            外扉用レール部材
３            内扉用レール部材
４            中枠
４０          引き戸収納部
５            外扉
５５          外扉戸先側吊り部
５５０        外扉戸尻側吊り部
６            内扉
６９          内扉戸先側吊り部
６９０        内扉戸尻側吊り部
７            点検パネル
８            ランマ下地パネル
９            連動機構
【図１】
0004825576.tif 000002
【図２】
0004825576.tif 000003
【図３】
0004825576.tif 000004
【図４】
0004825576.tif 000005
【図５】
0004825576.tif 000006
【図６】
0004825576.tif 000007
【図７】
0004825576.tif 000008
【図８】
0004825576.tif 000009
【図９】
0004825576.tif 000010
【図１０】
0004825576.tif 000011
【図１１】
0004825576.tif 000012
【図１２】
0004825576.tif 000013
【図１３】
0004825576.tif 000014